(57)【特許請求の範囲】
【請求項１】
整流可能な多相多極機において、
回転子と、
各々が各相に対応する複数の領域に分割された複数の極を有する固定子と、
各相に関連付けられ、対応する前記領域の連続する前記固定子極の周囲に交互となる方向に通過される巻線型コンダクタと、
を有し、
隣接する固定子極間のスロット幅は、１つの巻線型コンダクタの幅に相当し、
前記巻線型コンダクタは、隣接する固定子極の巻線の前記巻線型コンダクタの一部が１つのスロット内において、お互いに重なって配置されるように、隣接する固定子極の周囲に巻き付けられる、多相多極機。
【請求項２】
請求項１に記載の多相多極機において、
前記固定子極は、前記回転子の移動方向に対して横断方向に配列された薄片から形成される、多相多極機。
【請求項３】
請求項２に記載の多相多極機において、
前記薄片は、前記回転子に隣接する側とは反対側の端部に配置された強磁性のバンドにより磁気透過が可能になるように互いに接続されている、多相多極機。
【請求項４】
請求項１乃至３のいずれか１項に記載の多相多極機において、
前記固定子極は、Ｕ字型の薄片の支持部により形成されている、多相多極機。
【請求項５】
請求項３に記載の多相多極機において、
前記巻線型コンダクタは、前記固定子の外表面と平行な方向に延設した電気的に絶縁された板状に形成され、またその板状部分を含む隣接する極間の前記スロットが満たされるように形成され、
領域内の前記隣接スロット内の板は、その端部において電気的導電接続片により接続されている、多相多極機。
【請求項６】
請求項５に記載の多相多極機において、
前記強磁性バンドに接続されていない少なくとも２つの短縮固定子極は、前記固定子内の所定の領域に設けられ、
前記短縮固定子極間に、前記回転子の回転速度及び環状位置の少なくとも１つを検出するためのセンサが設けられている、多相多極機。
【請求項７】
請求項３に記載の多相多極機において、
前記固定子は、巻線型コンダクタ片を含む固定子極を備える同一部分を有し、前記巻線型コンダクタ片は、前記固定子極のスロット側の側面に互いにずらして固定され、固定子極の１側面上にある前記巻線型コンダクタ片は、隣接極間のスロットが、組立てられた固定子において巻線型コンダクタ片により占領されるよう、固定子極の他側面上にある巻線型コンダクタ片の間の中間に配列されている、多相多極機。
【請求項８】
請求項１，５、又は７のいずれか１項に記載の多相多極機において、
スロット内の前記巻線型コンダクタの断面積は、一定である、多相多極機。
【請求項９】
請求項３に記載の多相多極機において、
前記回転子に隣接する薄片の端部は曲げられている、多相多極機。
【請求項１０】
請求項１に記載の多相多極機において、
前記巻線型コンダクタは、連続した固定子極の周囲を蛇行するように通過される、多相多極機。
【請求項１１】
請求項１から３，５から７，又は９のいずれか１項に記載の多相多極機において、
前記回転子及び前記固定子は、線形に設計されている、多相多極機。
【請求項１２】
請求項１から３，５から７，又は９のいずれか１項に記載の多相多極機において、
前記固定子は、同数の極を有する２つの固定子部から形成され、前記固定子部は、前記回転子が配置される空隙を形成するように、互いに対向する関係で配置される、多相多極機。
【請求項１３】
整流可能な多相多極機であって、
固定子と、
複数の極を有する回転子と、
連続する回転子極の磁化方向が、前記回転子の円周に沿って逆方向になるよう、連続する回転子極の周囲に交互になる方向に巻き付けられる巻線型コンダクタと、
を有し、
隣接する回転子極間のスロット幅は、１つの巻線型コンダクタの幅に相当し、
前記巻線型コンダクタが、隣接する回転子極の巻線の巻線型コンダクタの一部が１つのスロット内でお互いに重なるように、隣接する回転子極の周りに巻き付けられる、多相多極機。
【請求項１４】
請求項１３に記載の多相多極機において、
前記回転子極は、前記回転子の円周表面に対して直角方向に磁化された永久磁石から形成され、
前記回転子極は、前記固定子に隣接する側とは反対の端部において、強磁性の帯によってお互いと接続されている、多相多極機。
【請求項１５】
請求項１３に記載の多相多極機であって、
前記回転子極は、前記回転子の移動方向を横断する方向に整列された、積み重ねられた薄片から形成され、
接線方向に磁化された永久磁石は、前記回転子極間に配置され、この磁化方向が前記回転子極の端部においてＮ磁極及びＳ磁極が交互に形成されるような方向である、多相多極機。
【請求項１６】
請求項１５に記載の多相多極機において、
前記回転子極は、前記積み重ねられた薄片及び前記永久磁石よりも比較的低い密度を有する材料から形成される構造上に取付けられる、多相多極機。
【発明の詳細な説明】
【０００１】
【発明の属する技術分野】
本発明は、整流可能な多相多極機、特に相が固定子の領域に沿って配設された整流可能な多相多極機及びその固定子、回転子の構造に関する。
【０００２】
【従来の技術】
従来の電気機械は、通常、２層すなわち２段に形成された巻線を有する。この場合、コイルは、巻線の突出部(overhang ）において交差し、互いを通過する方向に延びることになる。このため、機械の巻線突出部を大きくしなければならず、これに対応して銅損もかなり大きくなる。
【０００３】
このような理由から、ＤＥ  ３３  ２０  ８０５では、多数の極を有する多相電気同期機が提案されている。この発明においては、同一相のコイルは隣合って配置され、２つの隣接するコイルが同一のスロット内に位置している。複数の相は、周面上の各領域に割り当てられ、領域間の角度のずれに対応する距離が予めその領域間にとられている。
【０００４】
図１２は、このような機械の構造上のデザインを示す１例である。同図は、外側回転子機械として好適に用いられている定磁場機械の詳細を示している。磁場は、半径方向に磁化された永久磁石１によって生成される。永久磁石は、回転子の継鉄２に固定されている。固定子巻線のコイル４ａ、４ｂ、及び４ｃは、固定子積層スタック３のスロットに収容されている。積層スタック３の歯５には、前記のスロットを部分的に閉鎖する磁極片６が形成されている。
【０００５】
図１３には、固定子の巻線構造の詳細が示されている。巻線は、第１の領域Ｚ１（相Ｒ）において並列に並び、交流電流方向Ｒ、−Ｒを有する６つのコイルＳ１からＳ６と、第１の領域Ｚ２（相Ｔ）において並列に並び、交流電流方向Ｔ、−Ｔを有する２つのコイルＳ７及びＳ８とから成る。巻線領域Ｚ１から巻線領域Ｚ２への遷移において、物理的距離ａがとられている。隣接する２つのコイルの隣接する側辺が同一のスロット内に配置されており、それぞれの磁極スロットは、最も近接するコイルによってその半分を満たされている。
【０００６】
同一の幅を有する１つ以上の巻線領域が、固定子の周面に、巻線相Ｒ、Ｓ、Ｔのそれぞれに対して形成されている。好適に用いられる６領域の場合、これらの領域のうち隣接する２つの領域間の距離ａは、磁極ピッチの３分の１に等しく選択される。そして、この物理的距離ａの合計に相当する磁極ピッチの２倍の部分が、コイルを巻かれないままになる。従って、回転子と固定子の磁極数の差は、２となる。
【０００７】
ところが、ＤＥ  ３３  ２０  ８０５に提案されている同期機の別の実施形態によれば、距離ａを、各領域で均等に分割することもできる。この場合には、固定子巻線の磁極ピッチは界磁の磁極ピッチより大きくなり、この結果、隣接するコイル間にわずかな位相ずれが発生する。このずれは、１領域において、隣接する巻線相の間の位相角度に加えられる。このような位相ずれのために、１領域においてはコイルを直列に接続しなければならない。
【０００８】
【発明が解決しようとする課題】
上述の従来例の場合、回転子及び固定子の全体的な断面は、１枚の薄層から打ち抜いて形成される。
【０００９】
この結果、その製造過程において多大な材料損失がおこる。さらには、その製造のために複雑な鍛造型が必要とされる。
【００１０】
また、回転子及び固定子の全体断面は、電気スチール板（electrical sheet steel）など、磁場の集束に必要な強磁性の材料から形成されるため、結果として製造された機械の重量はかなり重く、慣性も大きくなる。
【００１１】
さらに、図１２に示される固定子極及びこれに関連する巻線コイルのデザインでは、比較的少数の極しか形成することができない。また、図１２のデザインでは、磁極の断面が比較的大きいため、これにともなって固定子及び回転子の継鉄において多量の磁気リターンフラックス（magnetic return flux）が必要となり、機械の重量もかなり大きくなる。
【００１２】
本発明は、整流可能な多相多極機の固定子及び回転子を供給することを目的とする。
【００１３】
【課題を解決するための手段】
本発明により、わずかな材料損失を伴うだけで、簡単な機械製造が可能になるとともに、慣性の小さい高性能の電気機械を得ることができる。
【００１４】
本発明は、整流可能な多相多極機において、回転子と、各々が各相に対応する複数の領域に分割された複数の極を有する固定子と、各相に関連付けられ、対応する前記領域の連続する前記固定子極の周囲に交互となる方向に通過される巻線型コンダクタとを有し、隣接する固定子極間のスロット幅は、１つの巻線型コンダクタの幅に相当し、前記巻線型コンダクタは、隣接する固定子極の巻線の前記巻線型コンダクタの一部が１つのスロット内において、お互いに重なって配置されるように、隣接する固定子極の周囲に巻き付けられることを特徴とする。
【００１５】
また、前記固定子極は、前記回転子の移動方向に対して横断方向に配列された薄片から形成されることを特徴とする。
【００１６】
また、前記薄片は、前記回転子に隣接する側とは反対側の端部に配置された強磁性のバンドにより磁気透過が可能になるように互いに接続されていることを特徴とする。
【００１７】
また、前記固定子極は、Ｕ字型の薄片の支持部により形成されていることを特徴とする。
【００１８】
また、前記巻線型コンダクタは、前記固定子の外表面と平行な方向に延設した電気的に絶縁された板状に形成され、またその板状部分を含む隣接する極間の前記スロットが満たされるように形成され、領域内の前記隣接スロット内の板は、その端部において電気的導電接続片により接続されていることを特徴とする。
【００１９】
また、前記強磁性バンドに接続されていない少なくとも２つの短縮固定子極は、前記固定子内の所定の領域に設けられ、前記短縮固定子極間に、前記回転子の回転速度及び環状位置の少なくとも１つを検出するためのセンサが設けられていることを特徴とする。
【００２０】
また、前記固定子は、巻線型コンダクタ片を含む固定子極を備える同一部分を有し、前記巻線型コンダクタ片は、前記固定子極のスロット側の側面に互いにずらして固定され、固定子極の１側面上にある前記巻線型コンダクタ片は、隣接極間のスロットが、組立てられた固定子において巻線型コンダクタ片により占領されるよう、固定子極の他側面上にある巻線型コンクタ片の間の中間に配列されていることを特徴とする。
【００２１】
また、スロット内の前記巻線型コンダクタの断面積は、一定であることを特徴とする。
【００２２】
また、前記固定子に隣接する薄片の端部は曲げられていることを特徴とする。
【００２３】
また、前記巻線型コンダクタは、連続した固定子極の周囲を蛇行するように通過されることを特徴とする。
【００２４】
また、前記回転子及び前記固定子は、線形に設計されていることを特徴とする。
【００２５】
また、前記固定子は、同数の極を有する２つの固定子部から形成され、前記固定子部は、前記回転子が配置される空隙を形成するように、互いに対向する関係で配置されることを特徴とする。
【００２６】
他の発明は、整流可能な多相多極機において、固定子と、複数の極を有する回転子と、連続する回転子極の磁化方向が、前記回転子の円周に沿って逆方向になるよう、連続する回転子極の周囲に交互になる方向に巻き付けられる巻線型コンダクタとを有し、隣接する回転子極間のスロット幅は、１つの巻線型コンダクタの幅に相当し、前記巻線型コンダクタが、隣接する回転子極の巻線の巻線型コンダクタの一部が１つのスロット内でお互いに重なるように、隣接する回転子極の周りに巻き付けられることを特徴とする。
【００２７】
また、前記回転子極は、前記回転子の円周表面に対して直角方向に磁化された永久磁石から形成され、前記回転子極は、前記固定子に隣接する側とは反対の端部において、強磁性の帯によってお互いと接続されていることを特徴とする。
【００２８】
また、前記回転子極は、前記回転子の移動方向を横断する方向に整列された、積み重ねられた薄片から形成され、接線方向に磁化された永久磁石は、前記回転子極間に配置され、この磁化方向が前記回転子極の端部においてＮ磁極及びＳ磁極が交互に形成されるような方向であることを特徴とする。
【００２９】
また、前記回転子極は、前記積み重ねられた薄片及び前記永久磁石よりも比較的低い密度を有する材料から形成される構造上に取付けられることを特徴とする。
【００３４】
前記目的は、上記の電気機械の固定子及び回転子によって、すなわち請求項１、１２及び１５の特徴的要件によって、本発明により達成される。
【００３５】
本発明の固定子巻線構成によれば、隣接する固定子極間のスロット幅は、巻線型コンダクタ１つの幅に相当する。これにより、スロット幅をかなり縮小できるとともに極数を増やすことができる。
【００３６】
このような効果により、固定子及び回転子極の磁気リターンパスかなり小さくすることができる。これにより、固定子及び回転子磁極の接続継鉄を比較的薄く、可撓性のある強磁性のケーシングによって実現することができる。この結果、磁気的な活物質の量を大幅に減少させることができる。
【００３７】
固定子極の接続継鉄をケーシング形状に設計することにより、全く新しい固定子の製造方法が可能になる。すなわち、間に巻線型コンダクタを配列した磁極を、まず支持部材上にポッティング処理によって固定する。これら固定子極の回転子と反対側の端部は、磁気リターンパスを確保するために、強磁性のケーシングが取り付けられるまでは、これに磁気接続されない。最後に、支持部の内側が除去される。
【００３８】
以上のように、本発明においては、固定子全体の断面を打ち抜いて、その後、内側から固定子極を巻き付ける必要がなくなる。
【００３９】
例えば、積層スタックの間に配列される巻線部分を、積層スタックどうしの結合に先だって、これに取り付けることができる。このように、固定子を多数の同一個別部分から構成することができる。
【００４０】
また、磁極となる積層スタックを、星型形状の構造として、円筒体上にまず配置し、つづいて、固定子の外側周面から磁極スロットに巻線型コンダクタを導入することができる。
【００４１】
薄層を半径方向に並べる場合は、星型形状の構造を従来からの方法で打ち抜けばよい。そして、巻線を取り付け、例えば合成樹脂などを用いたポッティング処理によってこれを固定した後に、打ち抜かれた断面の内側部分が取り除かれる。
【００４２】
以上のように、本発明によれば、管状の固定子本体の厚み、及び活物質の量が、図１２に示されている従来の実施形態と比較した場合にかなり低減される。これにより、より重量の小さい固定子を得ることができ、同じコストで材料をより効果的に利用することができる。
【００４３】
本発明によれば、多数の極により、回転子をハイブリッド回転子として設計することができる。回転子は、接戦方向に磁化され、固定子に対向する表面上に設けられた永久磁石を有する。薄層スタックは、回転子の極を形成し、前記永久磁石の間に層状に形成されている。
【００４４】
この場合、回転子の磁気リターンパスは、前記永久磁石を介して生成されるため、図１２に示される強磁性の継鉄２をさらに設ける必要はなく、回転子の重量をかなり減少させることができる。
【００４５】
固定子と同様に、回転子も層状に形成されて管状の本体を構成している場合には、内側回転子機においては回転子の内側円筒体を中空にし、例えばアルミニウムやプラスチックなどの相対密度の低い材料でこれを製造して、機械の重量及び慣性をさらに減少させることができる。
【００４６】
回転子に本発明による巻線を取り付けることにより、回転子の巻線を流れる界磁電流を介して制御することのできる電気機械を提供することができる。
【００４７】
さらに、磁気抵抗モータとしての設計も可能である。この場合、薄い、歯付きの強磁性層が、固定子に対向する回転子の表面に形成される。
【００４８】
本発明の上記の実施形態においては、製造のために必要なのは矩形の薄片だけであり、これにより、回転子及び固定子の断面形状を打ち抜くことによる従来からの材料損失の問題を解決することができる。
【００４９】
また、上述の従来例に比べて極数が大きく増えた結果、固定子と回転子の極数、さらには層における領域数の差を大きくすることができる。この結果、機械における力の分配をより均等に行うことができる。
【００５０】
さらに、磁界が通過する活物質の量が減少した結果、磁気損（鉄損）が減少する。また、本発明の巻線構造によって、巻線型コンダクタの長さを短く、幅を大きくすることができるため、抵抗損（銅損）が減少する。
【００５１】
さらに、表皮効果のために、巻線型コンダクタにおいて比較的高周波数で起こる電流の変位を、本発明による巻線型コンダクタの設計によって低減することができる。
【００５２】
また、本発明の設計により、より高い周波数で機械を動作させることができる。これは、１つの極スロット内に位置するのが１つの巻線型コンダクタだけであるためである。
【００５３】
本発明による設計は、非同期機、同期機、磁気抵抗モータ、ステッピングモータ、リニアモータなど、電気的に転換できるすべての機械において効果的に用いることができる。
【００５４】
本発明の効果的な改良点については、従属クレームに記載されている。
【００５５】
【発明の実施の形態】
図１に示される第１の実施形態においては、内側回転子２０と固定子３を有する同期機が示されている。回転子２０は、内側円筒１０と管状体とを有する。管状体は、内側円筒１０を取り囲み、回転子極９から構成されている。回転子極９は、軸の周囲方向に配列された強磁性の積層片スタックで形成され、これらの間に接戦方向に磁化された永久磁石１が配置されている。
【００５６】
永久磁石１の磁化は、回転子極９の端部において磁石のＮ極とＳ極とが交互に生成されるように向けられている。そして、これら回転子極９に磁力線が発生する。
【００５７】
内側円筒１０は、相対密度が低く、十分な強度を有するアルミニウムまたはその他の材料でできている。なお、この内側円筒１０を完全に省略して、回転子２０を中空体として設計してもよい。
【００５８】
回転子２０は、例えば以下のような方法で製造することができる。小さい板状の永久磁石１を、小さい板状の薄片スタックとともに、まず円筒体の端部表面にしっかりとクランプし、続いて、合成樹脂などを用いてこれをポッティング処理する。最終的には、この端部を切削して回転子２０を最終的な大きさに形成する。
【００５９】
固定子３も同様に、管状体から形成されている。この管状体は、軸方向に延びるよう並べられた固定子極５として機能する薄片スタックと、固定子極５の周囲に蛇行するように巻き付けられた、絶縁された巻線型コンダクタ８を有する。図１には、１領域の複数層の巻線が突出した固定子巻線と、引き出された回転子２０が示されている。
【００６０】
製造過程においては、まず、薄片のスタックが円筒体に固着されて、星型の部材が生成される。続いて、巻線型コンダクタ８がこの星型部材の外側から導入される。このようにして製造された円筒形の固定子体を合成樹脂などを用いてポッティング処理し、その後、円筒形の内側部材を取り除き、固定子内部を最終的な内側寸法に研削する。
【００６１】
こうして製造された管状の固定子体周囲に、固定子極５の継鉄を形成する強磁性のケーシング７が巻き付けられる。
【００６２】
また、固定子極の薄板を半径方向に配置することもできる。この場合、星型形状体をまず薄板から打ち抜き、続いて、層状に配置された複数の薄板の端部周囲に巻線型コンダクタ８を巻き付ける。このようにして製造された円筒体をポッティング処理し、ケーシングで覆った後、円筒体の内側部分が取り除かれる。
【００６３】
動作について説明すると、回転子２０の永久磁石１の磁力線は、隣接する回転子極９を通過する。ここで、磁力線は、回転子２０の回転子面から発生し、対向する固定子極５及び磁場の磁気リターンパスとして用いられるケーシング７部分によって閉鎖される。
【００６４】
固定子極５は、好ましくは均等な領域に分割され、その巻線は３相から成るシステムの適当な相に割り当てられる。上記の従来例に比べ、本発明は多数の極を実現できるので、固定子３と回転子２０の極数の差を大きくすることができ、１つの相に対する領域の数を増やすことができる。
【００６５】
この結果、動作においては、周面に沿ったより均等な力配分がなされる。これにより、機械の不均等が解消され、よりスムーズな運動及び雑音生成レベルの低減を実現することができる。
【００６６】
図２は、４８の極、６つの領域、及び関連する領域間接続Ｒ、Ｓ、Ｔ、Ｕ、Ｖ、Ｗを有する固定子の固定子巻線構造を示している。巻線コンダクタは、１領域内の連続する固定子極５の周囲に蛇行するように巻き付けられている。
【００６７】
発動機の動作においては、回転子２０は、永久磁石１の代わりに界磁巻線を有する。界磁巻線の巻線型コンダクタは、薄片のスタックから形成される回転子極５の周囲に、固定子巻線と同様に、蛇行状に巻き付けられる。こうして管状の回転子体が製造され、これが図１に示される内側円筒１０上に嵌着される。
【００６８】
界磁巻線にＤＣ界磁電流が流れると、回転子極の端部に磁気Ｎ極とＳ極が交互に形成される。回転子２０の回転により、固定子巻線内に正弦（sinusoidal）電圧が誘導される。この電圧の大きさは、界磁電流によって制御することができる。
【００６９】
図３には、ＤＣ界磁電流源に接続する接続極を有する、のばした状態の巻線構造が示されている。この場合、巻線型コンダクタは、回転子極９の周囲に、回転子の周面全体に沿って蛇行するように巻き付けられる。
【００７０】
このように製造され、界磁巻線を有する回転子２０は、非同期機の実施に用いることもできる。
【００７１】
図４は、本発明の第２実施形態例の断面を示した図であり、７８の固定子極５と８０の回転子極９を有する。図４に示されている内側回転子同期機は、図１の第１実施形態に対応するもので、回転子２０の表面に永久磁石１を有する。永久磁石の間に軸の周囲方向に並べられた薄片スタックが回転子極９である。
【００７２】
軸の周囲方向に並んだ巻線型コンダクタ片８は、回転子極９と同様に薄片スタックから形成される固定子極５の間に配置されている。巻線型コンダクタ片８は板形状で、本発明による蛇行巻き付け形状が生成されるように、固定子３のそれぞれの端部において導電性をともなって接続されている。
【００７３】
短縮固定子極１１が固定子３の所定の領域に設けられている。短縮固定子極１１は、固定子極５の周囲に設けられている強磁性のケーシング７には接続されておらず、これらの間には巻線型コンダクタ片８は存在しない。
【００７４】
短縮固定子極１１の間には、巻線型コンダクタ片８の代わりに、ホールセンサ１２またはその他のセンサを設けることができ、これによって、回転子２０の回転速度あるいは環状の位置を検出することができる。
【００７５】
図５は、第２の実施形態の詳細を示す拡大図であり、固定子３と回転子２０の間のギャップ１３が示されている。
【００７６】
本発明の第２実施形態による、分解された固定子３の一部を示した平面図が、図６に示されている。固定子３は、極と巻線からなる同一の部品から構成されている。このデザインにより、固定子３の製造はかなり簡易化される。
【００７７】
巻線型コンダクタは、極と巻線からなる部品の製造段階において、電気的に絶縁された方法で、固定子極５の周囲に巻き付けられる。固定子極５の１側部に配置される巻線型コンダクタ片８は、固定子極５の他側部の巻線型コンダクタ片８の間の空隙に対向した位置に配設される。２つの側部に位置するそれぞれの軸方向に延びる巻線型コンダクタ片８は、斜め方向に延びる接続部１５を介して、極巻線部品の端部において互いに接続されている。
【００７８】
このような極巻線部品を互いに噛み合うように層状に並べていくことにより、固定子極５の間の空間は、巻線型コンダクタ片８によって完全に満たされる。この場合、極と極の間の空隙は、１つの巻線幅に相当する。
【００７９】
巻線型コンダクタ片８どうし、及び巻線型コンダクタと固定子極５を電気的に絶縁するための絶縁薄膜１４が、極巻線部品の間に設けられ、これが層状に並べられている。巻線型コンダクタ片の辺の長さの割合は、断面積を一定として、半径方向に変化している。このような改良は、表面効果による電流差をさらに低減するために用いられている。
【００８０】
巻線の形状は、ろう付けまたは金属化によって生成される電気接続１７によって決定する。このような接続は、軸方向に延びた巻線コンダクタ片８の対応する端部どうしを、極巻線部品の各端部において接続するものである。
【００８１】
電流方向に関し、固定子極５周囲を蛇行する巻線の形状も、ここで生成することができる。
【００８２】
また、巻線コンダクタ片８に付したマーク１６は、巻線型コンダクタ断面を流れる電流の流れを示すものである。
【００８３】
固定子３は、極と巻線からなる部品の層を、図６に示すように互いに噛み合うように並べて中空円筒を形成し、その後、合成樹脂などを用いてこれをポッティング処理して製造される。この後、内径及び外径、及び端部を適当な大きさに加工する。最後に、このようにして形成された中空円筒の外周面を、強磁性のケーシング７によって被覆する。
【００８４】
図７は、本発明による電気機械の第３実施形態を示している。この実施形態においては、外側回転子同期機が示され、外側に設けられた回転子２０は、９０の極を有し、内側に設けられた固定子３は８９の極を有する。
【００８５】
本実施形態においては、薄片のスタックである固定子極５は、Ｕ字型を有し、中空円筒１８の外側表面１９に設けられた外向きの開口に挿入され固定されている。中空円筒１８は穴２２を有し、この穴によって、モータを内蔵する駆動装置にネジ止めされている。この場合、中空円筒１８の内径２１が駆動装置の円錐部分に抗して押圧される。Ｕ字型の薄片スタック５の内径を切削して取り除く課程は省略する。
【００８６】
薄片スタックのそれぞれの延長部が固定子極５を形成し、軸方向に延びた巻線型コンダクタ片８が各Ｕ字型薄片スタックの延長部分の間に設けられる。このようにして、ここでも、同一の極巻線部品が製造される。これにより、固定子３は、巻線型コンダクタ片８を層状に並べ、これらを各端部において電気的に接続することにより製造される。
【００８７】
管状の外側回転子２０は、回転子極９として機能する軸周囲方向に並べられた薄層スタックからなる。回転子極９は、接線方向に磁化された永久磁石と交互に層状に配列され、管状の形状を形成する。
【００８８】
永久磁石１の接線方向の磁化により、磁力線は、回転子極の端部から発生し、永久磁石１を介して閉鎖されている磁気リターンパスを形成する。このようにして、層状に形成された管状部材は、非磁気ケーシング２Ａによって被覆される。
【００８９】
図８には、図７における外側回転子モータを有する駆動装置の断面図が示されている。
【００９０】
外側回転子２０は、ベル型部材２５の内部に取り付けられる。ベル型部材は、力を伝達するために用いられ、回転自在に取り付けられた駆動シャフト２４に固定されている。中空円筒１８は、ネジ２３によって、駆動装置のハウジングに固定されている。このような巻線型コンダクタ片８の断面図により、次のことが示されている。すなわち、巻線型コンダクタ片８の端部２６は、外側回転子のモータの２つの端部のうちの１端部において交互に突出し、これらが図６に示された電気的接続１７によって互いに接続され、蛇行する巻線の形状を決定している。
【００９１】
第４の実施形態が図９（Ａ）に示されている。同図においては、５０の回転子極と４８の固定子極を有する外側回転子同期機が示されている。
【００９２】
外側回転子２０は、図８に従ってモータが使用されるときにはそれ自体ベル形状を形成することもでき、継鉄として機能する強磁性の金属管２８を有し、この金属管２８の内部に半径方向に磁化された永久磁石２９が回転子極として設けられている。隣合う永久磁石２９の磁化方向は逆向きであり、これによって回転子軸の端部において磁気Ｎ極とＳ極が交互に生成される。
【００９３】
固定子３は、図７に示した方法で構成されている。ここで、固定子極５を形成する薄片スタックの延長部は、その外側端部において上向きに曲げられている。これにより、極の端部が拡大されて、回転子極２９の大きさに一致させることができる。
【００９４】
このような改良によって、固定子３及び回転子２０の極端部における磁束密度を低減させ、小さな力で動作が可能になり、さらにノイズの発生を低減させることができる。また、固定子と回転子の間により大きいギャップを形成することができる。
【００９５】
極の薄片を折り曲げることによる極端部における上記の改良は、前述の他の実施形態のすべてにおいて可能であり、上記の効果を同様に得ることができる。
【００９６】
第４実施形態による固定子３は、６つの領域を有する。それぞれの領域は、拡大された極間分離部３０によって互いに分離されている。回転子２０は、２５対の極を有する。固定子領域内部の磁極ピッチは、回転子２０の磁極ピッチに対応するため、固定子３と回転子２０の極数の差は、固定子の周面に沿って位置する幅の広い極間分離部の合計から発生する。
【００９７】
上記の実施形態例においては、軸受の寿命を縮める原因となる半径方向の力は、回転子極及び駆動シャフト２４の軸受にも作用する。
【００９８】
図９（Ｂ）に示される第４実施形態の改良では、このような半径方向の力成分のかなりの減少が達成されている。
【００９９】
図９（Ｂ）において、固定子は、図９（Ａ）に示された固定子３に対応する内側固定子部３と、同じ極数を有する同心的な外側固定子部３Ａを有している。内側固定子部３と外側固定子部３Ａの巻線は直列に接続され、これらの極スロットの断面面積の大きさは同じである。
【０１００】
２つの固定子部３，３Ａの同一相の対応する極の極端部は対向するように配置され、これによって、１固定子部の１極端部において発生した磁力線は、回転子２０の永久磁石２９を通過して、第２の固定子部の対向する極端部に伝わる。
【０１０１】
この場合には、磁気リターンパスは、外側固定子部３Ａを介して通過するので、強磁性の継鉄２８が省略されている。
【０１０２】
回転子２０は、図４に示されるように、接線方向に磁化された永久磁石を用いて構成することもできる。
【０１０３】
巻線を直列に接続した結果、２つの固定子部３及び３Ａの巻線内の電流、及び対応する対向磁極における磁束は同じになる。この結果、回転子２０に作用する半径方向の力成分は互いに相殺し合う。
【０１０４】
極の周辺を蛇行して巻かれる巻線型コンダクタの電流の流れる方向が、図９  （Ｂ）において、２つの固定子部３及び３Ａの極スロットにマークで示されている。
【０１０５】
さらに、図９（Ｂ）には、巻線の相におけるＲからＳへの変化が示されている。この変化は、両方の固定子部の同じ地点に位置している。
【０１０６】
半径方向の力成分を低減するためのこのような２部固定子構成は、当然のことながら、上記の固定子３の他の実施形態においても可能である。
【０１０７】
図１０には、本発明による第５実施形態例が、リニアモータとして示されている。図１０に示されているリニアモータのデザインは、図４に示された第２実施形態例に対応するもので、回転子２０と固定子３は線形（「巻かれていない」）形状に設計されている。
【０１０８】
細片形状の回転子は、交互に層状に並べられた永久磁石と薄片スタックとを含み、相接続Ｒ、Ｓ、Ｔによって、回転子表面に移動磁界を生成することにより、線形に前後に移動することができる。接続Ｕ、Ｖ、Ｗは、共通の基準−接地ポテンシャルを有する。
【０１０９】
この例においては、回転子２０は、相接続における３６０度の相変化の際に、１対の回転子極だけ移動する。
【０１１０】
このように、回転子の速度は、回転子２０の極分割に依存し、３相を有する電力供給の周波数は固定子を流れる。
【０１１１】
固定子３は、極巻線部品からなる。極巻線部品は、互いに噛み合うように層状に並べられ、薄片ストリップのスタックから、第２実施形態に従って構成される。すなわち、回転子２０の移動方向に対してその横断方向に、固定子極５として並べられている。固定子極５に固定された巻線コンダクタ片８の断面の大きさは、ここではすべて同じであるが、これは固定子３が線形の構成を有するためである。
【０１１２】
図１１は、部分的に分解されたリニアモータの詳細を示す拡大図である。ここで、図６の要素に対応する部分については、同一の符号が用いられている。
【０１１３】
すでに説明した上記の他の実施形態についても、図１０及び図１１に示されるような第５実施形態によるリニアモータとして、設計することもできる。その場合に必要な変更については、当業者には自明である。
【０１１４】
【発明の効果】
以上のように、本発明によれば、固定子と回転子を有し、電気的に転換が可能な、多相多極の固定子及び回転子が提供される。本発明によれば、製造を簡易化し、パワーとトルクを高めるために、巻線型コンダクタが固定子極の周囲に蛇行するように巻き付けられている。これにより、隣合う固定子極どうしの極分割空間は、この巻線型コンダクタの幅に対応し、非常に減縮される。このようにして、生成される多数の極により、固定子を簡単な方法で製造することができる。すなわち、固定子は、固定子の薄片を、間に巻線型コンダクタ断片を挟むようにして層状に配列することによって製造することができる。固定子極は、磁気リターンパスを形成する強磁性のケーシングによって、巻線型コンダクタが組み付けられるまでは、その１極端部において磁気的に接続されることはない。同様に、回転子も簡単な方法で製造することができる。すなわち、回転子極を順次積み重ねていき、これらの間に接線方向に磁化された永久磁石を配列し製造する。この結果、回転子の重量はかなり小さくなる。このような構成により、より効果的な材料利用が可能になるとともに、可動部分の慣性をかなりの程度低減させることができる。このような構成原理は、非同期機及び同期機、リニアモータ、ステッピングモータ、及びリアクタンスモータに用いることができる。
【図面の簡単な説明】
【図１】  本発明による第１の実施形態を示した斜視図であり、内側回転子を有する同期機を示した図である。
【図２】  本発明の第１の実施形態の固定子巻線構造を示した図であり、３つの相と６つの領域を示した図である。
【図３】  モータあるいは発動機として作動される同期機の回転子巻線構造を示した図である。
【図４】  本発明による第２の実施形態を示した断面図であり、内側回転子を有する同期機を示した図である。
【図５】  本発明の第２の実施形態である図４の断面図を拡大した詳細図である。
【図６】  本発明の第２の実施形態の、分解された固定子極及び関連する巻線型コンダクタ部を示す断面図である。
【図７】  本発明による第３の実施形態を示した断面図であり、外側回転子を有する同期機を示した図である。
【図８】  駆動装置の断面図であり、この駆動装置において、外側回転子機が本発明の第３の実施形態に従って用いられた図である。
【図９】  本発明による第４の実施形態を示した断面図であり、（Ａ）は、外側回転子を有する同期機を示した図であり、（Ｂ）は、この第４の実施形態の改良を詳細に示した断面図である。
【図１０】  本発明による第５の実施形態を示した断面図であり、リニアモータを示した図である。
【図１１】  本発明の第５の実施形態を示した図１０の断面図を、特に分解して詳細に示した拡大図である。
【図１２】  従来からの外側回転子同期機の構造状の設計を示した図である。
【図１３】  従来からの固定子巻線構造を詳細に示した図である。
【符号の説明】
１  永久磁石、３  固定子、５  固定子極、７  ケーシング、８  巻線コンダクタ、９  回転子極、１０  内側円筒、２０  回転子。
【図１】
0003662994.tif 000002
【図２】
0003662994.tif 000003
【図３】
0003662994.tif 000004
【図４】
0003662994.tif 000005
【図５】
0003662994.tif 000006
【図６】
0003662994.tif 000007
【図７】
0003662994.tif 000008
【図８】
0003662994.tif 000009
【図９】
0003662994.tif 000010
【図１０】
0003662994.tif 000011
【図１１】
0003662994.tif 000012
【図１２】
0003662994.tif 000013
【図１３】
0003662994.tif 000014